(57)【要約】【課題】記録用紙等のターゲットの状態にかかわらず紙よれ等が発生しないターゲット搬送ローラ及び印字装置を提供すること。【解決手段】印字対象であるターゲットＫを印字領域１２、１３に向かって搬送するターゲット搬送ローラであって、ターゲット搬送ローラ１５、１６ａの表面に、ターゲットを端部方向に引っ張るための引っ張り案内部が形成されていることを特徴とするターゲット搬送ローラ１５、１６ａであり、好ましくは、搬送ローラは複数の部分搬送ローラに分割され、複数の部分搬送ローラがそれぞれ異なった方向にターゲットを引っ張るための引っ張り案内部を有している。【選択図】図２
2007276950.tif 000002
【特許請求の範囲】
【請求項１】
印字対象であるターゲットを印字領域に向かって搬送するターゲット搬送ローラであって、
前記ターゲット搬送ローラの表面に、前記ターゲットを端部方向に引っ張るための引っ張り案内部が形成されていることを特徴とするターゲット搬送ローラ。
【請求項２】
前記搬送ローラは回動軸によって保持され、
前記搬送ローラは、複数の部分搬送ローラに分割されており、
複数の前記部分搬送ローラがそれぞれ異なった方向に前記ターゲットを引っ張るための前記引っ張り案内部を有していることを特徴とする請求項１に記載のターゲット搬送ローラ。
【請求項３】
前記ターゲット搬送ローラが樹脂及び／又はゴムによってなることを特徴とする請求項１又は請求項２に記載のターゲット搬送ローラ。
【請求項４】
前記構成によれば、前記引っ張り案内部がネジ形状又は、はすば形状となっていることを特徴とする請求項１乃至請求項３のいずれかに記載のターゲット搬送ローラ。
【請求項５】
前記ネジ形状又は、はすば形状で成る前記引っ張り案内部のうち、前記ターゲットと当接する当接部に前記ターゲットとの摩擦の発生を促進させる摩擦面が設けられていることを特徴とする請求項１乃至請求項４のいずれかに記載のターゲット搬送ローラ。
【請求項６】
前記引っ張り案内部が、前記ターゲットを端部方向に引っ張る溝部を有していることを特徴とする請求項１乃至請求項３のいずれかに記載のターゲット搬送ローラ。
【請求項７】
印字対象であるターゲットを格納するターゲット収容部と、
前記ターゲットを印字する印字部と、
前記ターゲットを前記印字部に向かって搬送するターゲット搬送ローラと、を有する印字装置であって、
前記ターゲット搬送ローラの表面に、前記ターゲットを端部方向に引っ張るための引っ張り案内部が形成されていることを特徴とする印字装置。
【発明の詳細な説明】
【技術分野】
【０００１】
本発明は、ターゲットを印字位置等に搬送するためのターゲット搬送ローラ及び印字装置に関するものである。
【背景技術】
【０００２】
従来より、レーザプリンタ等は、印字等するための記録用紙等を蓄え、印字等するときは、その記録用紙等を給紙・搬送用ローラで印字位置まで搬送させる構成となっている（例えば、特許文献１）。
【特許文献１】特開平１０−１８１８９６号公報（図１等）
【発明の開示】
【発明が解決しようとする課題】
【０００３】
しかし、近年、記録用紙を１回の印字で廃棄することは殆どなく、１回印字された記録用紙を再利用し、両面印刷することが一般的となっている。
この場合、記録用紙の状態が新紙時より劣化しており、搬送用ローラ等で記録用紙を搬送する際、記録用紙に紙よれが生じ、正常に印字をすることができないという問題があった。
【０００４】
そこで、本発明は、記録用紙等のターゲットの状態にかかわらず紙よれ等が発生しない
ターゲット搬送ローラ及び印字装置を提供することを目的とする。
【課題を解決するための手段】
【０００５】
前記課題は、本発明によれば、印字対象であるターゲットを印字領域に向かって搬送するターゲット搬送ローラであって、前記ターゲット搬送ローラの表面に、前記ターゲットを端部方向に引っ張るための引っ張り案内部が形成されていることを特徴とするターゲット搬送ローラにより達成される。
【０００６】
前記構成によれば、ターゲット搬送ローラの表面に、ターゲットを端部方向に引っ張るための引っ張り案内部が形成されているので、ターゲットの例えば中央部がよれてしまうことを効果的に防止することができ、正常に印字等を行なうことができる。
【０００７】
好ましくは、前記搬送ローラは回動軸によって保持され、前記搬送ローラは、複数の部分搬送ローラに分割されており、複数の前記部分搬送ローラがそれぞれ異なった方向に前記ターゲットを引っ張るための前記引っ張り案内部を有していることを特徴とするターゲット搬送ローラである。
【０００８】
前記構成によれば、搬送ローラは、複数の部分搬送ローラに分割されており、複数の部分搬送ローラがそれぞれ異なった方向にターゲットを引っ張るための引っ張り案内部を有している。このため、ターゲットの例えば中央部によれが発生することを、より確実に防止することができる。
【０００９】
好ましくは、前記ターゲット搬送ローラが樹脂及び／又はゴムによってなることを特徴とするターゲット搬送ローラである。
【００１０】
前記構成によれば、前記ターゲットが樹脂及び／又はゴムによってなるので、ターゲットと適度な摩擦が生じ、ターゲットを確実に搬送することができると共に、ターゲットを確実に引っ張ることもできる。
このため、ターゲットの中央部におけるよれの発生を防止できる。
【００１１】
好ましくは、前記構成によれば、前記引っ張り案内部がネジ形状又は、はすば形状となっていることを特徴とするターゲット搬送ローラである。
【００１２】
好ましくは、前記ネジ形状又は、はすば形状で成る前記引っ張り案内部のうち、前記ターゲットと当接する当接部に前記ターゲットとの摩擦の発生を促進させる摩擦面が設けられていることを特徴とするターゲット搬送ローラである。
【００１３】
前記構成によれば、前記ネジ形状又は、はすば形状で成る引っ張り案内部のうち、ターゲットと当接する当接部にターゲットとの摩擦の発生を促進させる摩擦面が設けられているので、ターゲットを搬送力が更に向上し、所望の引っ張り力をターゲットに精度良くかけることができる。
【００１４】
好ましくは、前記引っ張り案内部が、前記ターゲットを端部方向に引っ張る溝部を有していることを特徴とするターゲット搬送ローラである。
【００１５】
前記構成によれば、引っ張り案内部が、ターゲットを端部方向に引っ張る溝部を有しているので、簡易な構成で確実にターゲットを端部方向へ引っ張ることができる。これがため、ターゲットの中央部におけるよれの発生を未然に防止することができる。
【００１６】
前記課題は、本発明によれば、印字対象であるターゲットを格納するターゲット収容部と、前記ターゲットを印字する印字部と、前記ターゲットを前記印字部に向かって搬送するターゲット搬送ローラと、を有する印字装置であって、前記ターゲット搬送ローラの表面に、前記ターゲットを端部方向に引っ張るための引っ張り案内部が形成されていることを特徴とする印字装置により達成される。
【発明を実施するための最良の形態】
【００１７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
（第１の実施の形態）
図１は、本発明の液体噴射装置の第１の実施の形態にかかる印字装置であるレーザプリンタ１０の要部を示す概略説明図である。
図１に示すように、印字対象である記録用紙Ｋを格納する記録用紙収容部１１を有している。すなわち、記録用紙Ｋは、ターゲットの一例であり、記録用紙収容部１１はターゲット収容部の一例である。
【００１９】
また、図１に示すように、レーザプリンタ１０は、実際に印字する転写部１２及び、印字した状態を安定させるための定着部１３を有し、これらの工程を経ることで記録用紙Ｋに印字する構成となっている。
したがって、転写部１２及び定着部１３は、印字部の一例となっている。
【００２０】
また、レーザプリンタ１０は、図１に示すように、記録用紙収容部１１内の記録用紙Ｋを転写部１２側へ搬送するための機構を有している。
具体的には、図１に示すように、ピックアップローラ１５と給紙ローラ１６等を有している。すなわち、記録用紙収容部１１内の記録用紙Ｋは、先ず、ピックアップローラ１５でピックアップされ、その後、給紙ローラ１６で転写部１２側へ搬送される構成となっている。
したがって、ピックアップローラ１５及び給紙ローラ１６は、ターゲット搬送ローラの一例となっている。
【００２１】
図２は、図１のピックアップローラ１５、給紙ローラ１６及び記録用紙Ｋ等の関係を示す概略説明図である。
図１に示すように、ピックアップローラ１５は円柱状を成し、ピックアップローラ軸１５ａによって回動可能な構成となっている。
ピックアップローラ１５の少なくとも表面は、樹脂及び／又はゴムによって形成されている。
また、給紙ローラ１６ａ等は、本実施の形態では、例えば５個の給紙ローラ１６ａ等から成っている。給紙ローラ１６ａ等もピックアップローラ１５と同様に、円柱状でなり、その少なくとも表面は樹脂及び／又はゴムによって形成されている。また、給紙ローラ軸１６ｆで回動可能に支持されている。
【００２２】
図３は、図２の矢印Ａ部を拡大した概略拡大図である。図３に示すように、給紙ローラ１６ａ等やピックアップローラ１５の表面は、例えばネジ形状となっている。このネジ形状は記録用紙Ｋをいずれかの方向に案内する形状となっている。
以下、具体的に説明する。先ず、図２のピックアップローラ１５は、ピックアップした記録用紙Ｋを図の左右方向に案内するようなネジ形状となっている。
したがって、図２の矢印Ｂ部で記録用紙Ｋに紙よれが生じていても、記録用紙Ｋは、図の左右方向に引っ張られるため、中央部の紙よれがそのままの状態で搬送されることがなく、紙よれが解消された状態で給紙ローラ１６へ搬送される構成となっている。
【００２３】
また、給紙ローラ１６ａ、１６ｂはピックアップローラ１５から搬送された記録用紙Ｋを図において左側へ引っ張る働きをし、給紙ローラ１６ｄ、１６ｅは、記録用紙Ｋを図において右側へ引っ張る働きをする。
中央の給紙ローラ１６ｃは、ピックアップローラ１５と同様に、記録用紙Ｋを左右に案内している。
このように、ピックアップローラ１５及び給紙ローラ１６ａ等の表面のネジ形状が異なるため、記録用紙Ｋは、図において左右方向に引っ張られ矢印Ｂ部で生じた紙よれが解消されると共に、搬送中に、記録用紙Ｋの中央部で紙よれが発生することが未然に防止される構成となっている。
【００２４】
したがって、ピックアップローラ１５及び給紙ローラ１６ａ等の表面に形成されたネジ形状が引っ張り案内部の一例となっている。
また、ピックアップローラ軸１５ａ及び給紙ローラ軸１６ｆは、回動軸の一例であり、５個に分割されている給紙ローラ１６ａ等が部分搬送ローラの一例となっている。
【００２５】
以上のように、本実施の形態では、ピックアップローラ１５及び給紙ローラ１６ａ等の表面に摩擦力が発生しやすい樹脂等を配置すると共に、ネジ形状を形成することで、記録用紙Ｋを図の左右方向に引っ張り、中央部によれを発生させない構成となっている。
したがって、図１のレーザプリンタ１０で印字しても印字不良が生じることなく、正常に印字等を行なうことができる。
特に、一度使用した記録用紙Ｋの裏面に印字する場合であっても、本実施の形態では、中央部等に紙よれが生ぜず、印字不良が発生することを未然に防ぐことができる。
なお、本実施の形態では、給紙ローラ１６ａ等の表面にネジ形状を形成しているので、このネジのピッチを詰めることで、搬送力を向上させることができる構成ともなっている。
なお、本実施の形態では、ネジ形状としたが、これに限らず、「はすば」形状としても良い。
【００２６】
（第２の実施の形態）
図４は、第２の実施の形態の主な構成を示す概略説明図である。本実施の形態の多くの構成は第１の実施の形態と同様であるため、同様の構成は共通符号等とし、説明を省略し、以下、相違点を中心に説明する。
本実施の形態では、図４に示すように、給紙ローラ２６ａの記録用紙Ｋと当接する当接部２６ａａが面状となり摩擦を発生させる摩擦面となっている。そして、給紙ローラ２６ａ等の表面の断面形状は、当接部２６ａａを上面とする略台形となっている。
したがって、記録用紙Ｋと給紙ローラ２６ａ等（ピックアップローラも含む）との摩擦力が第１の実施の形態の給紙ローラ１６ａ等より強く発生するので、記録用紙Ｋの搬送力が向上し、引っ張り力も向上するので、紙よれの発生をより確実に防止することができる。
【００２７】
（第３の実施の形態）
図５（ａ）は、第３の実施の形態の主な構成を示す概略説明図であり、図５（ｂ）は、（ａ）のＣ−Ｃ‘線の概略端面図である。本実施の形態の多くの構成は第１の実施の形態と同様であるため、同様の構成は共通符号等とし、説明を省略し、以下、相違点を中心に説明する。
本実施の形態では、上述の他の実施の形態と異なり、給紙ローラ３６ａ等の表面に突出するように、ネジ形状や台形形状が形成されず、溝３６ａａが形成されている。
この溝３６ａａは、図５（ｂ）に示すように、斜めに形成されているため、給紙ローラ３６ａ等が記録用紙Ｋを搬送する際、記録用紙Ｋを押すと、給紙ローラ３６ａの表面は図の矢印Ｘ方向に倒れることになる。
すると、その表面に当接していた記録用紙ＫもＸ方向に案内される。このＸ方向を図２の記録用紙Ｋの左右方向に設定することで、記録用紙Ｋは、第１の実施の形態と同様に引っ張られ、よれの発生を防ぐことができる。
このように、本実施の形態によれば、ネジ形状等の複雑な形状を給紙ローラ等に形成することなく、記録用紙Ｋの紙よれをふせぎ、印字不良を防ぐことができる。
【００２８】
本発明は、上述の実施の形態に限定されない。また、本発明は、レーザプリンタに限らず、プリンタ等の画像記録装置に用いられる記録ヘッド、液晶ディスプレイ等のカラーフィルタの製造に用いられる色材噴射ヘッド、有機ＥＬディスプレー、ＦＥＤ（面発光ディスプレー）等の電極形成に用いられる電極材噴射ヘッド、バイオチップ製造に用いられる生体有機物噴射ヘッド等の液体を吐出する液体噴射ヘッドを用いた液体噴射装置等の印字装置、精密ピペットとしての試料噴射装置等にも適用できる。
【図面の簡単な説明】
【００２９】
【図１】本発明の液体噴射装置の第１の実施の形態にかかる印字装置であるレーザプリンタの要部を示す概略説明図である。
【図２】図１のピックアップローラ、給紙ローラ及び記録用紙等の関係を示す概略説明図である。
【図３】図２の矢印Ａ部を拡大した概略拡大図である。
【図４】第２の実施の形態の主な構成を示す概略説明図である。
【図５】（ａ）は、第３の実施の形態の主な構成を示す概略説明図であり、（ｂ）は、（ａ）のＣ−Ｃ‘線の概略端面図である。
【符号の説明】
【００３０】
１０・・・レーザプリンタ、１１・・・記録用紙収容部、１２・・・転写部、１２ａ・・・転写ベルト、１３・・・定着部、１４・・・インクカートリッジ、１５・・・ピックアップローラ、１５ａ・・・ピックアップローラ軸、１６ａ・・・給紙ローラ、１６ｆ・・・給紙ローラ軸、Ｋ・・・記録用紙
【図１】
2007276950.tif 000003
【図２】
2007276950.tif 000004
【図３】
2007276950.tif 000005
【図４】
2007276950.tif 000006
【図５】
2007276950.tif 000007